【手続補正書】
【提出日】令和1年12月3日(2019.12.3)
【手続補正１】
【補正対象書類名】特許請求の範囲
【補正対象項目名】全文
【補正方法】変更
【補正の内容】
【特許請求の範囲】
【請求項１】
患者インターフェースと接続される呼吸治療装置の１つ以上のコントローラにおける制御の方法であって、
患者インターフェースへ提供すべき空気の供給における所定の圧力および所定の流量を前記１つ以上のコントローラによって特定するステップと、
前記患者インターフェースへ提供されている前記空気の圧力および流量を複数のセンサによって決定するステップと、
第１の流れ生成器および第２の流れ生成器の設定の決定を前記１つ以上のコントローラによって制御するステップであって、各流れ生成器は、前記所定の圧力および前記所定の流量にそれぞれ対応するように前記患者インターフェースにおける前記空気の前記圧力および前記流量の同時制御ができるように、前記空気の流れを前記患者インターフェースへ提供するように構成される、ステップと
を含む方法。
【請求項２】
前記第１の流れ生成器および前記第２の流れ生成器の前記設定の決定を制御するステップは、前記第１の流れ生成器および前記第２の流れ生成器のうち少なくとも１つの出力の設定を調節するステップを含む、請求項１に記載の方法。
【請求項３】
前記患者インターフェースは、前記空気の流れを前記患者の鼻孔内へ導くように構成された突起部と、前記空気の圧力を前記患者へ付加するように構成されたマスク部とを含む、請求項１または２に記載の方法。
【請求項４】
前記マスク部は鼻マスクである、請求項３に記載の方法。
【請求項５】
前記マスク部は鼻枕である、請求項３に記載の方法。
【請求項６】
連続的な口からの漏洩を検出するステップと、
前記連続的な口からの漏洩が検出されたときに前記所定の圧力を検出するステップと
をさらに含む請求項４または５に記載の方法。
【請求項７】
前記第１の流れ生成器は、前記空気の流れを前記患者インターフェースの前記突起部を通じて提供するように構成され、前記第２の流れ生成器は、前記空気の圧力を前記患者インターフェースの前記マスク部へ提供するように構成される、請求項３に記載の方法。
【請求項８】
前記所定の圧力および前記所定の流量のうち少なくとも１つは、前記患者の呼吸周期に対応する期間にわたって変動するように決定される、請求項１〜７のいずれか一項に記載の方法。
【請求項９】
前記所定の流量は、少なくともいくつかの所定の期間にわたって一定であり、前記所定の圧力は、前記所定の期間において一定である、請求項１〜７のいずれか一項に記載の方法。
【請求項１０】
前記患者インターフェースの前記マスク部は、通気孔をさらに含む、請求項３〜７のいずれか一項に記載の方法。
【請求項１１】
前記所定の流量を最大流量未満に制限するステップをさらに含む請求項１０に記載の方法。
【請求項１２】
前記最大流量は、前記患者のピーク呼気流量から通気孔流量を減算した値である、請求項１１に記載の方法。
【請求項１３】
前記圧力および前記流量の前記同時制御は、前記通気孔の制御調節を決定することをさらに含む、請求項１０に記載の方法。
【請求項１４】
前記通気孔は、活性近位弁を含む、請求項１３に記載の方法。
【請求項１５】
前記呼吸治療装置は、気道陽圧治療および死腔治療のためのものである、請求項１〜１４のいずれか一項に記載の方法。
【請求項１６】
前記気道陽圧治療は換気治療である、請求項１５に記載の方法。
【請求項１７】
前記所定の圧力および前記所定の流量を前記所定の圧力および前記所定の流量を有効性が等しくなる曲線へ制限するように前記１つ以上のコントローラによって決定するステップをさらに含む請求項１〜１６のいずれか一項に記載の方法。
【請求項１８】
前記１つ以上のコントローラのうち１つのコントローラ内において目標換気を解剖学的死腔情報および死腔治療低減値に基づいて計算するステップをさらに含む請求項１〜１７のいずれか一項に記載の方法。
【請求項１９】
患者の気道へ空気流れを送達するシステムであって、
第１の流れ生成器および第２の流れ生成器であって、患者インターフェースを介して空気を患者へ提供するようにそれぞれ構成される、第１の流れ生成器および第２の流れ生成器と、
１つ以上のコントローラであって、
前記患者インターフェースを介して前記患者へ提供されている前記空気の圧力および流量を複数のセンサによって決定するステップと、
前記患者インターフェースにおける前記空気の前記圧力および前記流量を所定の圧力および所定の流量にそれぞれ対応するように同時に制御するように、前記第１の流れ生成器および前記第２の流れ生成器を制御するステップと
を行うように構成された１つ以上のコントローラと
を有するシステム。
【請求項２０】
前記患者インターフェースをさらに含み、前記患者インターフェースは、前記空気の流れを前記患者の鼻孔内へ導くように構成された突起部と、前記空気の圧力を前記患者へ付加するように構成されたマスク部とを含む、請求項１９に記載のシステム。
【請求項２１】
前記マスク部は鼻マスクである、請求項２０に記載のシステム。
【請求項２２】
前記マスク部は鼻枕である、請求項２０に記載のシステム。
【請求項２３】
前記第１の流れ生成器は、前記空気の流れを前記突起部を通じて導き、前記第２の流れ生成器は、前記空気の圧力を前記マスク部へ付加する、請求項２０に記載のシステム。
【請求項２４】
前記複数のセンサは、流量センサおよび圧力センサを含み、前記第１の流れ生成器の出力は、前記流量センサによって測定され、前記第２の流れ生成器の出力は、前記圧力センサによって測定される、請求項１９〜２３のいずれか一項に記載のシステム。
【請求項２５】
前記１つ以上のコントローラは、前記所定の圧力および前記所定の流量のうち少なくとも１つを少なくともいくつかの期間にわたって一定値に維持するように、さらに構成される、請求項１９〜２４のいずれか一項に記載のシステム。
【請求項２６】
前記コントローラは、前記所定の圧力および前記所定の流量のうち少なくとも１つを前記患者の呼吸周期に対応する期間にわたって変動させるようにさらに構成される、請求項１９〜２５のいずれか一項に記載のシステム。
【請求項２７】
前記患者インターフェースの前記マスク部は、通気孔を含む、請求項１９〜２３のいずれか一項に記載のシステム。
【請求項２８】
前記１つ以上のコントローラは、前記所定の流量を最大流量未満になるようにさらに構成される、請求項２７に記載のシステム。
【請求項２９】
前記１つ以上のコントローラは、通気孔流量から前記患者のピーク呼気流量を減算することにより前記最大流量を決定するように構成される、請求項２８に記載のシステム。
【請求項３０】
前記通気孔は調節可能な通気孔であり、前記１つ以上のコントローラは、前記圧力および前記流量を制御するように前記調節可能な通気孔を制御するように、さらに構成される、請求項２７〜２９のいずれか一項に記載のシステム。
【請求項３１】
前記調節可能な通気孔は、活性近位弁を含む、請求項３０に記載のシステム。
【請求項３２】
前記空気の前記圧力および前記流量の同時制御により、前記患者へ気道陽圧治療および死腔治療が提供される、請求項１９〜３１のいずれか一項に記載のシステム。
【請求項３３】
前記気道陽圧治療は換気治療である、請求項３２に記載のシステム。
【請求項３４】
前記１つ以上のコントローラは、前記所定の圧力および前記所定の流量を有効性が等しくなる曲線へ制限するように前記所定の圧力および前記所定の流量を決定するように、構成される、請求項１９〜３３のいずれか一項に記載のシステム。
【請求項３５】
前記１つ以上のコントローラは、前記第１の流れ生成器および前記第２の流れ生成器を制御するように構成された１つのコントローラを含む、請求項１９〜３４のいずれか一項に記載のシステム。
【請求項３６】
前記１つ以上のコントローラは、前記第１の流れ生成器を制御するように構成された第１のコントローラと、前記第２の流れ生成器を制御するように構成された第２のコントローラとを含む、請求項１９〜３４のいずれか一項に記載のシステム。
【請求項３７】
前記第１のコントローラは、前記第２の流れ生成器によって提供されている前記空気の前記流量を得るように構成される、請求項３６に記載のシステム。
【請求項３８】
前記第２のコントローラは、前記第１の流れ生成器によって提供されている前記空気の圧力を得るように構成される、請求項３６に記載のシステム。
【請求項３９】
前記１つ以上のコントローラのうち１つのコントローラは、解剖学的死腔情報および死腔治療低減値に基づいて目標換気を計算するように構成される、請求項１９〜３８のいずれか一項に記載のシステム。
【請求項４０】
前記１つ以上のコントローラのうち１つのコントローラは、前記空気の前記所定の流量の段階的変化を制御することにより心臓出力推定値を生成するステップと、前記段階的変化に相対する換気測定値の変化を決定するステップとを行うように構成される、請求項１９〜３９のいずれか一項に記載のシステム。
【請求項４１】
前記１つ以上のコントローラの前記コントローラは、睡眠の検出に応答して前記空気の前記所定の流量の段階的変化の制御を開始するように構成される、請求項４０に記載のシステム。 
【手続補正２】
【補正対象書類名】明細書
【補正対象項目名】０２２１
【補正方法】変更
【補正の内容】
【０２２１】
よって、本技術の意図および範囲から逸脱することなく、例示的な実施形態において、において多数の変更例が可能であり、また、他の配置が考案され得ることが理解されるべきである。
なお、特願２０１８−５３０１０２の出願当初の特許請求の範囲は以下の通りである。
［請求項１］
呼吸治療のための患者の気道への空気供給を制御する方法であって、
患者インターフェースを介して患者へ提供すべき前記空気の所定の圧力および所定の流量を１つ以上のコントローラコントローラによって特定するステップと、
前記患者インターフェースを介して前記患者へ提供されている前記空気の圧力および流量を複数のセンサによって決定するステップと、
第１の流れ生成器および第２の流れ生成器を前記１つ以上のコントローラによって制御するステップであって、各流れ生成器は、前記所定の圧力および前記所定の流量にそれぞれ対応するように前記患者インターフェースにおける前記空気の前記圧力および前記流量を同時に制御するように、前記空気の流れを前記患者インターフェースへ提供するように構成される、ステップと
を含む方法。
［請求項２］
前記第１の流れ生成器および前記第２の流れ生成器を制御するステップは、前記第１の流れ生成器および前記第２の流れ生成器のうち少なくとも１つの出力を調節するステップを含む、請求項１に記載の方法。
［請求項３］
前記患者インターフェースは、前記空気の流れを前記患者の鼻孔内へ導くように構成された突起部と、前記空気の圧力を前記患者へ付加するように構成されたマスク部とを含む、請求項１または２に記載の方法。
［請求項４］
前記マスク部は鼻マスクである、請求項３に記載の方法。
［請求項５］
前記マスク部は鼻枕である、請求項３に記載の方法。
［請求項６］
連続的な口からの漏洩を検出するステップと、
前記連続的な口からの漏洩が検出されたときに前記所定の圧力を検出するステップと
をさらに含む請求項４または５に記載の方法。
［請求項７］
前記第１の流れ生成器は、前記空気の流れを前記患者インターフェースの前記突起部を通じて提供し、前記第２の流れ生成器は、前記空気の圧力を前記患者インターフェースの前記マスク部へ提供する、請求項３に記載の方法。
［請求項８］
前記所定の圧力および前記所定の流量のうち少なくとも１つは、前記患者の呼吸周期に対応する期間にわたって変動する、請求項１〜７のいずれか一項に記載の方法。
［請求項９］
前記所定の流量は、少なくともいくつかの所定の期間にわたって一定であり、前記所定の圧力は、前記所定の期間において一定である、請求項１〜７のいずれか一項に記載の方法。
［請求項１０］
前記患者インターフェースの前記マスク部は、通気孔をさらに含む、請求項３〜７のいずれか一項に記載の方法。
［請求項１１］
前記所定の流量を最大流量未満に制限するステップをさらに含む請求項１０に記載の方法。
［請求項１２］
前記最大流量は、前記患者のピーク呼気流量から通気孔流量を減算した値である、請求項１１に記載の方法。
［請求項１３］
前記圧力および前記流量を同時に制御することは、前記通気孔の調節を制御することをさらに含む、請求項１０に記載の方法。
［請求項１４］
前記通気孔は、活性近位弁を含む、請求項１３に記載の方法。
［請求項１５］
前記圧力および前記流量を同時に制御することは、前記患者に気道陽圧治療および死腔治療を提供するように行われる、請求項１〜１４のいずれか一項に記載の方法。
［請求項１６］
前記気道陽圧治療は換気治療である、請求項１５に記載の方法。
［請求項１７］
前記所定の圧力および前記所定の流量を前記所定の圧力および前記所定の流量を有効性が等しくなる曲線へ制限するように前記１つ以上のコントローラによって決定するステップをさらに含む請求項１〜１６のいずれか一項に記載の方法。
［請求項１８］
前記１つ以上のコントローラのうち１つのコントローラ内において目標換気を解剖学的死腔情報および死腔治療低減値に基づいて計算するステップをさらに含む請求項１〜１７のいずれか一項に記載の方法。
［請求項１９］
前記空気の前記所定の流量の段階的変化を制御することおよび前記段階的変化に相対する換気測定値の変化を決定することにより、前記１つ以上のコントローラのうち１つのコントローラ内において心臓出力推定値を生成するステップをさらに含む請求項１〜１８のいずれか一項に記載の方法。
［請求項２０］
睡眠の検出に応答して前記空気の前記所定の流量の段階的変化を制御することを前記１つ以上のコントローラの前記コントローラによって開始するステップをさらに含む請求項１９に記載の方法。
［請求項２１］
患者の気道へ空気流れを送達するシステムであって、
第１の流れ生成器および第２の流れ生成器であって、患者インターフェースを介して空気を患者へ提供するようにそれぞれ構成される、第１の流れ生成器および第２の流れ生成器と、
１つ以上のコントローラであって、
前記患者インターフェースを介して前記患者へ提供されている前記空気の圧力および流量を複数のセンサによって決定するステップと、
前記患者インターフェースにおける前記空気の前記圧力および前記流量を所定の圧力および所定の流量にそれぞれ対応するように同時に制御するように、前記第１の流れ生成器および前記第２の流れ生成器を制御するステップと
を行うように構成された１つ以上のコントローラと
を有するシステム。
［請求項２２］
前記患者インターフェースをさらに含み、前記患者インターフェースは、前記空気の流れを前記患者の鼻孔内へ導くように構成された突起部と、前記空気の圧力を前記患者へ付加するように構成されたマスク部とを含む、請求項２１に記載のシステム。
［請求項２３］
前記マスク部は鼻マスクである、請求項２２に記載のシステム。
［請求項２４］
前記マスク部は鼻枕である、請求項２２に記載のシステム。
［請求項２５］
前記第１の流れ生成器は、前記空気の流れを前記突起部を通じて導き、前記第２の流れ生成器は、前記空気の圧力を前記マスク部へ付加する、請求項２２に記載のシステム。
［請求項２６］
前記複数のセンサは、流量センサおよび圧力センサを含み、前記第１の流れ生成器の出力は、前記流量センサによって測定され、前記第２の流れ生成器の出力は、前記圧力センサによって測定される、請求項２１〜２５のいずれか一項に記載のシステム。
［請求項２７］
前記１つ以上のコントローラは、前記所定の圧力および前記所定の流量のうち少なくとも１つを少なくともいくつかの期間にわたって一定値に維持するように、さらに構成される、請求項２１〜２６のいずれか一項に記載のシステム。
［請求項２８］
前記コントローラは、前記所定の圧力および前記所定の流量のうち少なくとも１つを前記患者の呼吸周期に対応する期間にわたって変動させるようにさらに構成される、請求項２１〜２７のいずれか一項に記載のシステム。
［請求項２９］
前記患者インターフェースの前記マスク部は、通気孔を含む、請求項２２〜２５のいずれか一項に記載のシステム。
［請求項３０］
前記１つ以上のコントローラは、前記所定の流量を最大流量未満になるようにさらに構成される、請求項２９に記載のシステム。
［請求項３１］
前記１つ以上のコントローラは、通気孔流量から前記患者のピーク呼気流量を減算することにより前記最大流量を決定するように構成される、請求項３０に記載のシステム。
［請求項３２］
前記通気孔は調節可能な通気孔であり、前記１つ以上のコントローラは、前記圧力および前記流量を制御するように前記調節可能な通気孔を制御するように、さらに構成される、請求項２９〜３１のいずれか一項に記載のシステム。
［請求項３３］
前記調節可能な通気孔は、活性近位弁を含む、請求項３２に記載のシステム。
［請求項３４］
前記空気の前記圧力および前記流量の同時制御により、前記患者へ気道陽圧治療および死腔治療が提供される、請求項２１〜３３のいずれか一項に記載のシステム。
［請求項３５］
前記気道陽圧治療は換気治療である、請求項３４に記載のシステム。
［請求項３６］
前記１つ以上のコントローラは、前記所定の圧力および前記所定の流量を有効性が等しくなる曲線へ制限するように前記所定の圧力および前記所定の流量を決定するように、構成される、請求項２１〜３５のいずれか一項に記載のシステム。
［請求項３７］
前記１つ以上のコントローラは、前記第１の流れ生成器および前記第２の流れ生成器を制御するように構成された１つのコントローラを含む、請求項２１〜３６のいずれか一項に記載のシステム。
［請求項３８］
前記１つ以上のコントローラは、前記第１の流れ生成器を制御するように構成された第１のコントローラと、前記第２の流れ生成器を制御するように構成された第２のコントローラとを含む、請求項２１〜３６のいずれか一項に記載のシステム。
［請求項３９］
前記第１のコントローラは、前記第２の流れ生成器によって提供されている前記空気の前記流量を得るように構成される、請求項３８に記載のシステム。
［請求項４０］
前記第２のコントローラは、前記第１の流れ生成器によって提供されている前記空気の圧力を得るように構成される、請求項３８に記載のシステム。
［請求項４１］
前記１つ以上のコントローラのうち１つのコントローラは、解剖学的死腔情報および死腔治療低減値に基づいて目標換気を計算するように構成される、請求項２１〜４０のいずれか一項に記載のシステム。
［請求項４２］
前記１つ以上のコントローラのうち１つのコントローラは、前記空気の前記所定の流量の段階的変化を制御することにより心臓出力推定値を生成するステップと、前記段階的変化に相対する換気測定値の変化を決定するステップとを行うように構成される、請求項２１〜４１のいずれか一項に記載のシステム。
［請求項４３］
前記１つ以上のコントローラの前記コントローラは、睡眠の検出に応答して前記空気の前記所定の流量の段階的変化の制御を開始するように構成される、請求項４２に記載のシステム。
［請求項４４］
患者の気道へ空気流れを送達するシステムであって、
空気回路および患者インターフェースを介して空気を患者へ提供するように構成された流れ生成器と、
調節可能な通気孔と、
１つ以上のコントローラであって、
前記患者インターフェースを介して前記患者へ提供されている前記空気の圧力および流量を複数のセンサによって決定するステップと、
前記患者インターフェースにおける前記空気の前記圧力および前記流量を所定の圧力および所定の流量にそれぞれ対応するように同時に制御するように、前記流れ生成器および前記調節可能な通気孔を制御するステップと
を行うように構成された１つ以上のコントローラと
を有するシステム。
［請求項４５］
前記患者インターフェースをさらに含み、前記患者インターフェースは、前記空気の流れを患者の鼻孔中へ導くように構成された突起部と、前記空気の圧力を前記患者へ付加するように構成されたマスク部とを含む、請求項４４に記載のシステム。
［請求項４６］
前記調節可能な通気孔は、前記患者インターフェースの前記マスク部の一部である、請求項４５に記載のシステム。
［請求項４７］
前記複数のセンサは、
前記空気の測定された圧力を決定する圧力センサと、
前記患者インターフェースの前記突起部を通じて前記空気の測定された流量を決定する流量センサと
を含む、請求項４５または４６に記載のシステム。
［請求項４８］
前記圧力センサおよび前記流量センサのうち少なくとも１つは、前記流れ生成器の出力に配置される、請求項４７に記載のシステム。
［請求項４９］
前記圧力センサおよび前記流量センサのうち少なくとも１つは、前記患者インターフェースにおいて配置される、請求項４７に記載のシステム。
［請求項５０］
前記１つ以上のコントローラは、前記所定の圧力および前記所定の流量のうち少なくとも１つを一定期間にわたって一定値に維持するように、さらに構成される、請求項４４〜４９のいずれか一項に記載のシステム。
［請求項５１］
前記１つ以上のコントローラは、前記所定の圧力を前記患者の呼吸周期に従って変動させるようにさらに構成される、請求項４４〜４９のいずれか一項に記載のシステム。
［請求項５２］
前記空気の前記圧力および前記流量の同時制御により、前記患者へ気道陽圧治療および死腔治療が提供される、請求項４４〜５１のいずれか一項に記載のシステム。
［請求項５３］
前記気道陽圧治療は換気治療である、請求項５２に記載のシステム。
［請求項５４］
前記１つ以上のコントローラは、前記所定の圧力および前記所定の流量を有効性が等しくなる曲線へ制限するように前記所定の圧力および前記所定の流量を決定するように、構成される、請求項４４〜５３のいずれか一項に記載のシステム。
［請求項５５］
前記空気回路中の可変抵抗をさらに含み、
前記１つ以上のコントローラは、前記可変抵抗の抵抗を調節することにより前記空気の圧力および流量のうち１つ以上を制御するものである、請求項４４〜５４のいずれか一項に記載のシステム。
［請求項５６］
前記１つ以上のコントローラのうち１つのコントローラは、解剖学的死腔情報および死腔治療低減値に基づいて目標換気を計算するように、構成される、請求項４４〜５５のいずれか一項に記載のシステム。
［請求項５７］
前記１つ以上のコントローラのうち１つのコントローラは、前記空気の前記所定の流量の段階的変化を制御することにより心臓出力推定値を生成することと、前記段階的変化に相対する換気測定値の変化を決定することとを行うように構成される、請求項４４〜５６のいずれか一項に記載のシステム。
［請求項５８］
前記１つ以上のコントローラの前記コントローラは、睡眠の検出に応答して前記空気の前記所定の流量の段階的変化の制御を開始するように構成される、請求項５７に記載のシステム。
［請求項５９］
呼吸治療のための患者の気道への空気供給を制御する方法であって、
空気回路および患者インターフェースを介して患者へ提供されるべき前記空気の所定の圧力および所定の流量を１つ以上のコントローラによって特定するステップと、
前記患者インターフェースを介して前記患者へ提供されている前記空気の圧力および流量を複数のセンサによって決定するステップと、
前記患者インターフェースにおける前記空気の前記圧力および前記流量が前記所定の圧力および前記所定の流量にそれぞれ対応するように同時に制御するように前記空気を前記患者インターフェースへ提供するように構成された流れ生成器と、調節可能な通気孔とを前記１つ以上のコントローラによって制御するステップと
を含む方法。
［請求項６０］
前記患者インターフェースは、前記空気の流れを前記患者の鼻孔内へ導くように構成された突起部と、前記空気の圧力を前記患者へ付加するように構成されたマスク部とを含む、請求項５９に記載の方法。
［請求項６１］
前記流れ生成器により、前記患者インターフェースの前記突起部を通じて前記空気の流れが提供され、これにより、前記空気の圧力が前記患者インターフェースの前記マスク部へ付加される、請求項６０に記載の方法。
［請求項６２］
前記所定の圧力および前記所定の流量のうち少なくとも１つを前記１つ以上のコントローラにより一定期間にわたって一定値に維持するステップをさらに含む請求項５９〜６１のいずれか一項に記載の方法。
［請求項６３］
前記所定の圧力を前記患者の呼吸周期に従って前記１つ以上のコントローラにより変動させるステップをさらに含む請求項５９〜６１のいずれか一項に記載の方法。
［請求項６４］
前記空気の前記圧力および前記流量の前記同時制御は、気道陽圧治療および死腔治療の制御を含む、請求項５９〜６３のいずれか一項に記載の方法。
［請求項６５］
前記気道陽圧治療は換気治療である、請求項６４に記載の方法。
［請求項６６］
前記所定の圧力および前記所定の流量を有効性が等しくなる曲線に制限するように前記所定の圧力および前記所定の流量を前記１つ以上のコントローラによって決定するステップをさらに含む請求項５９〜６５のいずれか一項に記載の方法。
［請求項６７］
前記調節可能な通気孔を制御するステップは、前記患者インターフェースにおける前記空気の圧力が前記所定の圧力に対応して維持されるように前記調節可能な通気孔の吹出し特性を前記患者の呼吸周期と同期するように前記１つ以上のコントローラによって調節するステップを含む、請求項５９〜６６のいずれか一項に記載の方法。
［請求項６８］
前記空気の前記圧力および前記流量のうち１つ以上を制御するように前記空気回路中の可変抵抗の抵抗を前記１つ以上のコントローラによって調節するステップをさらに含む請求項５９〜６６のいずれか一項に記載の方法。
［請求項６９］
前記１つ以上のコントローラ内において解剖学的死腔情報および死腔治療低減値に基づいて目標換気を計算するステップをさらに含む請求項５９〜６８のいずれか一項に記載の方法。
［請求項７０］
前記空気の前記所定の流量の段階的変化を制御することと、前記段階的変化に相対する換気測定値の変化を決定することとにより、前記１つ以上のコントローラ内において心臓出力推定値を生成することをさらに含む、請求項５９〜６９のいずれか一項に記載の方法。
［請求項７１］
睡眠の検出に応答して前記空気の前記所定の流量の段階的変化を前記１つ以上のコントローラによって制御するステップをさらに含む請求項７０に記載の方法。